(57)【要約】【課題】ページ記述データ内の任意の低解像度画像に対応する原稿画像を容易に参照可能な編集装置、画像処理装置、編集プログラム、画像処理プログラム、編集プログラムを提供することを目的とする。【解決手段】原稿画像データへのリンク情報が付加された低解像度画像データを提供する低解像度画像提供部と、その低解像度画像データに対応する原稿画像データを参照する要請に対して許可を与える原稿画像参照要請受付部とを備える。ページ記述データ内の所望の低解像度画像を指定すると、その低解像度画像を表わす低解像度画像データに付加された、原稿画像データへのリンク情報を元に、原稿画像参照要請受付部に原稿画像データの参照を要請する。原稿画像データの参照の許可として、例えば、原稿画像データが記憶されているアドレスなどを原稿画像参照要請受付部から受け取り、そのアドレスに格納されている原稿画像データが表わす原稿画像を例えば表示画面などに表示するなどして確認することが可能である。【選択図】　　　　図１１
2004021683.tif 000002
【特許請求の範囲】
【請求項１】
原稿画像を表わす原稿画像データを記憶しておくとともに、該原稿画像データに基づいて該原稿画像データにより表わされる原稿画像と同一の画像であって該原稿画像の画素数よりも少ない画素数の低解像度画像を表わす低解像度画像データを生成して編集作業用に提供するとともに、編集により生成されたページ記述データに前記低解像度画像データが含まれていた場合に該低解像度画像データを該低解像度画像データに対応する原稿画像データに置換する画像処理装置において、
前記低解像度データを、該低解像度データに対応する原稿画像データへのリンク情報を付加して編集用に提供する低解像度画像提供部と、
前記低解像度画像提供部が提供した低解像度画像データに対応する原稿画像データの参照の要請を受け付けて、該原稿画像データの参照を許可する原稿画像参照要請受付部とを備えたことを特徴とする画像処理装置。
【請求項２】
前記原稿画像参照要請受付部は、前記低解像度画像提供部が提供した低解像度画像データに対応する原稿画像データの参照の要請を受け付けて、該原稿画像データのアドレス情報を参照要求元に提供するものであることを特徴とする請求項１記載の画像処理装置。
【請求項３】
原稿画像を表わす原稿画像データに基づいて生成された、該原稿画像データにより表わされる原稿画像と同一の画像であって該原稿画像の画素数よりも画像数の少ない低解像度画像を表わす低解像度画像データの提供を受けて編集を行いページ記述データを生成する編集装置において、
前記低解像度画像データとともに該低解像度画像データに対応する原稿画像を表わす原稿画像データへのリンク情報を取得するデータ取得部と、
前記低解像度画像を指定する操作に応じて、該低解像度画像を表わす該低解像度画像データに対応する原稿画像データの参照を前記低解像画像の提供元に要求する原稿画像参照要求部と、
前記原稿画像参照要求部からの要求に応じて許可された原稿画像データに基づく原稿画像を表示する画像表示部とを備えたことを特徴とする編集装置。
【請求項４】
コンピュータ内で実行され、該コンピュータを、原稿画像を表わす原稿画像データを記憶しておくとともに、該原稿画像データに基づいて該原稿画像データにより表わされる原稿画像と同一の画像であって該原稿画像の画素数よりも少ない画素数の低解像度画像を表わす低解像度画像データを生成して編集作業用に提供するとともに、編集により生成されたページ記述データに前記低解像度画像データが含まれていた場合に該低解像度画像データを該低解像度画像データに対応する原稿画像データに置換する画像処理装置として動作させる画像処理プログラムにおいて、
前記低解像度データを、該低解像度データに対応する原稿画像データへのリンク情報を付加して編集用に提供する低解像度画像提供部と、
前記低解像度画像提供部が提供した低解像度画像データに対応する原稿画像データの参照の要請を受け付けて、該原稿画像データの参照を許可する原稿画像参照要請受付部とを備えた画像処理装置として動作させることを特徴とする画像処理プログラム。
【請求項５】
コンピュータ内で実行され、該コンピュータを、原稿画像を表わす原稿画像データに基づいて生成された、該原稿画像データにより表わされる原稿画像と同一の画像であって該原稿画像の画素数よりも画像数の少ない低解像度画像を表わす低解像度画像データの提供を受けて編集を行いページ記述データを生成する編集装置として動作させる編集プログラムにおいて、
前記低解像度画像データとともに該低解像度画像データに対応する原稿画像を表わす原稿画像データへのリンク情報を取得するデータ取得部と、
前記低解像度画像を指定する操作に応じて、該低解像度画像を表わす該低解像度画像データに対応する原稿画像データの参照を前記低解像画像の提供元に要求する原稿画像参照要求部と、
前記原稿画像参照要求部からの要求に応じて許可された原稿画像データに基づく原稿画像を表示する画像表示部とを備えた編集装置として動作させることを特徴とする編集プログラム。
【発明の詳細な説明】
【０００１】
【発明の属する技術分野】
本発明は、編集された画像および文字に基づく画像データを生成する編集装置、編集プログラム、画像処理装置、画像処理プログラムに関する。
【０００２】
【従来の技術】従来、印刷および製版の分野において、印刷用画像の編集作業にかかる負荷を軽減させるため、ＯＰＩ（Ｏｐｅｎ　Ｐｒｅｐｒｅｓｓ　Ｉｎｔｅｒｆａｃｅ）サーバを使用して、印刷用画像を構成する原稿画像を管理することが行われている。ＯＰＩサーバは、原稿画像を表わす原稿画像データを記憶しておくとともに、原稿画像と同一であるが画素数の少ない低解像度画像を表わす低解像度画像データを生成して、その低解像度画像データを編集作業用に提供する。オペレータは、ＯＰＩサーバから提供された、データサイズの小さい低解像度画像データを用いて、快適に印刷用画像の編集作業を行うことができる。さらに、オペレータが編集した画像および文字に基づく編集後データは、ＯＰＩサーバに送られる。ＯＰＩサーバでは、編集後データに含まれる低解像度画像データを、その低解像度画像データに対応する原稿画像データに置換し、プリンタ等の出力デバイスに出力する出力データを生成する。このように、ＯＰＩサーバによる原稿画像の管理を行うと、印刷用画像の編集作業にかかる負荷が軽減されるとともに、原稿画像と同じ画素数の画像で構成された印刷物を生成することができる。
【０００３】
【発明が解決しようとする課題】
ところで、例えば、３００ｄｐｉの画素数の原稿画像に対して、７２ｄｐｉの画素数の低解像度画像を提供するＯＰＩサーバを用いるとき、編集作業中に表示画面に表示されている画像は、７２ｄｐｉの低解像度画像である。ここで、例えば、画像の細かい部分を確認するときや、低解像度画像に対応する原稿画像が所望の画素数のものなのかを確認するときなどに、低解像度画像に対応する原稿画像を参照する必要がある。従来、低解像度画像に対応する原稿画像を参照するには、ＯＰＩサーバ内のフォルダを検索し、それらしいファイル名がつけられた画像を探して表示させていくことが行われている。しかし、これは大変煩雑な作業であるうえ、ＯＰＩサーバ等についてあまり詳しく知らないオペレータにとっては、大変難しい作業であるという問題がある。
【０００４】
本発明は、上記事情に鑑み、所望の低解像度画像に対応する原稿画像を容易に参照可能な編集装置、画像処理装置、編集プログラム、および画像処理プログラムを提供することを目的とする。
【０００５】
【課題を解決するための手段】
上記目的を達成する本発明の画像処理装置は、
原稿画像を表わす原稿画像データを記憶しておくとともに、原稿画像データに基づいて原稿画像データにより表わされる原稿画像と同一の画像であって原稿画像の画素数よりも少ない画素数の低解像度画像を表わす低解像度画像データを生成して編集作業用に提供するとともに、編集により生成されたページ記述データに低解像度画像データが含まれていた場合に低解像度画像データを低解像度画像データに対応する原稿画像データに置換する画像処理装置において、
低解像度データを、低解像度データに対応する原稿画像データへのリンク情報を付加して編集用に提供する低解像度画像提供部と、
低解像度画像提供部が提供した低解像度画像データに対応する原稿画像データの参照の要請を受け付けて、原稿画像データの参照を許可する原稿画像参照要請受付部とを備えたことを特徴とする。
【０００６】
従来、低解像度画像データが表わす低解像度画像に対応する原稿画像を参照するときには、画像処理装置内に格納されているファイルを開いて、画像をひとつひとつ探しながら確認することが行われている。しかし、これは大変手間のかかる作業である。
【０００７】
本発明の画像処理装置は、低解像度画像データに対応する原稿画像データへのリンク情報を付加して提供し、また、その低解像度画像データに対応する原稿画像データを参照する要請に対して許可を与える。原稿画像データへのリンク情報の提供を受けた装置は、所望の低解像度画像に対応する原稿画像を確認するために、まず、低解像度画像データに付加された原稿画像データへのリンク情報を元に、画像処理装置に原稿画像データの参照を要請する。原稿画像データの参照の許可として、例えば、原稿画像データが記憶されているアドレスなどを画像処理装置から受け取り、そのアドレスに格納されている原稿画像データが表わす原稿画像を表示画面などに表示して確認する。
【０００８】
このように、本発明の画像処理装置によると、所望の低解像度画像に対応する原稿画像を容易に確認可能である。
【０００９】
また、本発明の画像処理装置において、原稿画像参照要請受付部は、低解像度画像提供部が提供した低解像度画像データに対応する原稿画像データの参照の要請を受け付けて、原稿画像データのアドレス情報を参照要求元に提供するものであることが好ましい。
【００１０】
原稿画像データが表わす原稿画像は高画素画像であるため、一般的に原稿画像データのデータサイズは大きく、原稿画像データを送受信するのは時間がかかる処理である。
【００１１】
原稿画像データの参照の許可として、原稿画像データそのものではなく、その原稿画像データが記憶されているアドレス情報を提供し、参照要求元では、例えば、そのアドレス情報が表わす場所に格納されている原稿画像データが表わす原稿画像を表示することによって、処理時間を短縮することが可能である。
【００１２】
ただし、本発明の画像処理装置において、原稿画像参照要請受付部は、低解像度画像提供部が提供した低解像度画像データに対応する原稿画像データの参照の要請を受け付けて、原稿画像データのアドレス情報ではなく、原稿画像データ自体を参照要請要求元に提供するものであってもよい。
【００１３】
また、本発明の編集装置は、原稿画像を表わす原稿画像データに基づいて生成された、原稿画像データにより表わされる原稿画像と同一の画像であって原稿画像の画素数よりも画像数の少ない低解像度画像を表わす低解像度画像データの提供を受けて編集を行いページ記述データを生成する編集装置において、
低解像度画像データとともに低解像度画像データに対応する原稿画像を表わす原稿画像データへのリンク情報を取得するデータ取得部と、
低解像度画像を指定する操作に応じて、低解像度画像を表わす低解像度画像データに対応する原稿画像データの参照を低解像画像の提供元に要求する原稿画像参照要求部と、
原稿画像参照要求部からの要求に応じて許可された原稿画像データに基づく原稿画像を表示する画像表示部とを備えたことを特徴とする。
【００１４】
本発明の編集装置によると、低解像度画像データに対応する原稿画像データの参照を、原稿画像データを記憶している低解像度データの提供元に要請し、その許可された原稿画像データが表わす画像を表示画面などに表示する。
【００１５】
この表示画面に表示された原稿画像を確認することで、任意の低解像度画像に対応する原稿画像を容易に確認可能である。
【００１６】
また、本発明の画像処理プログラムは、コンピュータ内で実行され、コンピュータを、原稿画像を表わす原稿画像データを記憶しておくとともに、原稿画像データに基づいて原稿画像データにより表わされる原稿画像と同一の画像であって該原稿画像の画素数よりも少ない画素数の低解像度画像を表わす低解像度画像データを生成して編集作業用に提供するとともに、編集により生成されたページ記述データに低解像度画像データが含まれていた場合に低解像度画像データを低解像度画像データに対応する原稿画像データに置換する画像処理装置として動作させる画像処理プログラムにおいて、
低解像度データを、低解像度データに対応する原稿画像データへのリンク情報を付加して編集用に提供する低解像度画像提供部と、
低解像度画像提供部が提供した低解像度画像データに対応する原稿画像データの参照の要請を受け付けて、原稿画像データの参照を許可する原稿画像参照要請受付部とを備えた画像処理装置として動作させることを特徴とする。
【００１７】
本発明の画像処理プログラムをコンピュータ内で実行させることによって、そのコンピュータを上記のような画像処理装置として動作させることができる。
【００１８】
尚、本発明の画像処理プログラムには、本発明の画像処理装置の各種態様に対応する各種態様全てが含まれる。
【００１９】
さらに、本発明の編集プログラムは、コンピュータ内で実行され、コンピュータを、原稿画像を表わす原稿画像データに基づいて生成された、原稿画像データにより表わされる原稿画像と同一の画像であって原稿画像の画素数よりも画像数の少ない低解像度画像を表わす低解像度画像データの提供を受けて編集を行いページ記述データを生成する編集装置として動作させる編集プログラムにおいて、
低解像度画像データとともに該低解像度画像データに対応する原稿画像を表わす原稿画像データへのリンク情報を取得するデータ取得部と、
低解像度画像を指定する操作に応じて、低解像度画像を表わす低解像度画像データに対応する原稿画像データの参照を低解像画像の提供元に要求する原稿画像参照要求部と、
原稿画像参照要求部からの要求に応じて許可された原稿画像データに基づく原稿画像を表示する画像表示部とを備えた編集装置として動作させることを特徴とする。
【００２０】
本発明の編集プログラムをコンピュータ内で実行させることによって、そのコンピュータを上記のような編集装置として動作させることができる。
【００２１】
【発明の実施の形態】
以下、本発明の実施形態について説明する。
【００２２】
図１は、本発明の第一の実施形態が適用された画像処理システムの全体構成図である。この画像処理システムは、オペレータがコンピュータを用いて編集した文字や画像を、印刷機やプリンタで印刷するシステムである。
【００２３】
図１の画像処理システム１０は、カラースキャナ１００、パーソナルコンピュータ２００、カラープリンタ１１０、および印刷機１２０で構成されている。
【００２４】
カラースキャナ１００は、原稿画像を読み取り、その読み取った原稿画像を表わす原稿画像データを生成するスキャナである。カラースキャナ１００で生成された原稿画像データは、パーソナルコンピュータ２００に送られ、印刷用の画像（以下、印刷用画像と称する）を作成する際に使われる。パーソナルコンピュータ２００は、オペレータが編集した文字および画像に基づく、ページ記述データで記述された言語データを、いわゆるＲＩＰ（Ｒａｓｔｅｒ　Ｉｍａｇｅ　Ｐｒｏｃｅｓｓｏｒ）により、ビットマップに展開された出力画像データに変換する。この出力画像データは、印刷を行なう場合は、印刷機１２０に入力され、印刷機１２０では、その入力された出力画像データに対応した印刷物が作成される。また、印刷の仕上がりを事前に確認するためのプルーフ画像を作成するにあたっては、パーソナルコンピュータ２００で生成された出力画像データがカラープリンタ１１０に入力され、カラープリンタ１１０で出力画像データに基づくプルーフ画像が作成される。
【００２５】
ここで、この図１に示す画像処理システム１０における、本発明の第一の実施形態としての特徴は、パーソナルコンピュータ２００の内部で実行される処理内容にあり、以下、このパーソナルコンピュータ２００について説明する。
【００２６】
図２は、図１のパーソナルコンピュータ２００の外観斜視図、図３はそのハードウェア構成図である。
【００２７】
このパーソナルコンピュータ２００は、外観構成上、本体装置２１０、その本体装置２１０からからの指示に応じて表示画面２２１上に画像を表示する画像表示装置２２０、本体装置２１０に、キー操作に応じた各種の情報を入力するキーボード２３０、および、表示画面２２１上の任意の位置を指定することにより、その位置に表示された、例えばアイコン等に応じた指示を入力するマウス２４０を備えている。この本体装置２１０は、外観上、フレキシブルディスクを装填するためのフレキシブルディスク装填口２１１、およびＣＤ−ＲＯＭを装填するためのＣＤ−ＲＯＭ装填口２１２を有する。
【００２８】
本体装置２１０の内部には、図３に示すように、各種プログラムを実行するＣＰＵ２１３、ハードディスク装置２１５に格納されたプログラムが読み出されＣＰＵ２１３での実行のために展開される主メモリ２１４、各種プログラムやデータ等が保存されたハードディスク装置２１５、フレキシブルディスク２６０が装填され、そのフレキシブルディスク２６０をアクセスするフレキシブルディスクドライブ２１７、ＣＤ−ＲＯＭ２７０をアクセスするＣＤ−ＲＯＭドライブ２１８、図１のカラースキャナ１００から原稿画像データを受け取る入力インタフェース２１６、図１のカラープリンタ１１０に出力画像データを送る出力インタフェース２１９ａ、図１の印刷機１２０に出力画像データを送る出力インタフェース２１１９ｂが内蔵されており、これらの各種要素と、さらに図２にも示す画像表示装置２２０、キーボード２３０、マウス２４０は、バス２５０を介して相互に接続されている。
【００２９】
ここで、ＣＤ−ＲＯＭ２７０には、このパーソナルコンピュータ２００を本発明の画像処理装置の第一の実施形態として動作させるための画像処理プログラムが記憶されており、そのＣＤ−ＲＯＭ２７０はＣＤ−ＲＯＭドライブ２１８に装填され、そのＣＤ−ＲＯＭ２７０に記憶された画像処理プログラムがこのパーソナルコンピュータ２００にアップロードされてハードディスク装置２１５に記憶されている。
【００３０】
また、パーソナルコンピュータ２００を本発明の編集装置の第一の実施形態として動作させるための編集プログラムが記憶されたＣＤ−ＲＯＭ２８０が、ＣＤ−ＲＯＭ２７０と同様にＣＤ−ＲＯＭドライブ２１８に装填され、ＣＤ−ＲＯＭ２８０に記憶された編集プログラムもこのパーソナルコンピュータ２００にアップロードされてハードディスク装置２１５に記憶されている。
【００３１】
こうしてパーソナルコンピュータ２００は本発明の画像処理装置の第一の実施形態である図４の画像処理装置３００（後述する）、および本発明の編集装置の第一の実施形態である編集装置４００（後述する）として動作する。
【００３２】
ここで、画像処理プログラム、および編集プログラムの説明は後にまわし、パーソナルコンピュータ２００を本発明の画像処理装置、および編集装置の第一の実施形態として動作させたときの、画像処理装置、編集装置、および予めパーソナルコンピュータ２００にインストールされているＲＩＰ（Ｒａｓｔｅｒ　Ｉｍａｇｅ　Ｐｒｏｃｅｓｓｏｒ）プログラムによるＲＩＰ装置を含む印刷用画像作成システムの全体の構成について説明する。
【００３３】
図４は、本発明の第一の実施形態が適用された印刷用画像作成システム２０の全体構成図である。
【００３４】
印刷用画像作成システム２０は、画像処理装置３００、編集装置４００、およびＲＩＰ装置５００を具備している。
【００３５】
画像処理装置３００は、図１に示すカラースキャナ１００から、図３の入力インタフェース２１６を通して原稿画像データを受け取り、その原稿画像データを記憶しておく。また、原稿画像データが表わす原稿画像と同一であり、かつ原稿画像よりも画素数が少ない低解像度画像を表わす低解像度画像データを生成し、編集用として編集装置４００に提供する。さらに、編集装置４００から、低解像度画像データを使って編集された編集後ページ記述データを受け取り、その編集後ページ記述データに含まれる低解像度画像データを、その低解像度画像データに対応する原稿画像データと入れ替えた出力用ページ記述データを生成する。出力用ページ記述データは、ＲＩＰ装置５００に送られる。
【００３６】
編集装置４００は、画像処理装置３００から低解像度画像データの提供を受ける。オペレータにより、その低解像度画像データを用いて印刷用画像が編集され、編集装置４００は、その編集された文字や画像に基づく編集後ページ記述データを生成する。このようにして、データサイズの小さい低解像度画像データを印刷用画像の編集に用いることにより、編集作業にかかる負荷を軽減させることができる。生成された編集後ページ記述データは、画像処理装置３００に送られる。
【００３７】
ＲＩＰ装置５００は、画像処理装置３００から送られた出力用ページ記述データを、図１に示すカラープリンタ１１０や印刷機１２０などの出力デバイスで出力可能なビットマップデータ（網点画像のデータ）である印刷用画像データに変換する。
【００３８】
印刷用画像作成システム２０は、全体的には上記のように構成されるものであり、次に、この画像処理装置３００を生成するための画像処理プログラム、および編集装置４００を生成するための編集プログラムについて説明する。
【００３９】
図５は、本発明の画像処理プログラムの第一の実施形態が記憶されたＣＤ−ＲＯＭ２７０を示す概念図である。
【００４０】
画像処理プログラム２７１は、記憶部２７１１、低解像度画像生成部２７１２、低解像度画像提供部２７１３、原稿画像参照要請受付部２７１４、および画像データ入替部２７１５で構成されている。ここで、記憶部２７１１は、データが読書きされる、図３に示すハードディスク装置２１５上のアドレスを管理するためのものである。また、低解像度画像提供部２７１３は本発明の画像処理プログラムにおける低解像度画像提供部の一例に相当し、同様に、原稿画像参照要請受付部２７１４は本発明の画像処理プログラムにおける原稿画像参照要請受付部の一例に相当する。画像処理プログラム２７１の各部の詳細については、図６に示す本発明の画像処理装置の第一の実施形態である画像処理装置３００の各部の作用と一緒に説明する。
【００４１】
図６は、この画像処理プログラム２７１を図１のパーソナルコンピュータ２００にインストールし、パーソナルコンピュータ２００を本発明の画像処理装置の第一の実施形態として動作させるときの画像処理装置３００の機能ブロック図である。
【００４２】
図６に示す画像処理装置３００は、記憶部３０１、低解像度画像生成部３０２、低解像度画像提供部３０３、原稿画像参照要請受付部３０４、および画像データ入替部３０５で構成される。
【００４３】
画像処理プログラム２７１をパーソナルコンピュータ２００にインストールすると、図５の画像処理プログラム２７１を構成する記憶部２７１１は図６の記憶部３０１を生成し、同様に低解像度画像生成部２７１２は低解像度画像生成部３０２を生成し、低解像度画像提供部２７１３は低解像度画像提供部３０３を生成し、原稿画像参照要請受付部２７１４は原稿画像参照要請受付部３０４を生成し、画像データ入替部２７１５は画像データ入替部３０５を生成する。
【００４４】
記憶部３０１は、図１に示すカラースキャナ１００から図３に示す入力インタフェース２１６を通して受け取った原稿画像データを、ハードディスク装置２１５に記憶し、そのハードディスク装置２１５上のアドレスを管理する。この原稿画像データには、データごとに一意に決められた画像ＩＤが付けられており、この画像ＩＤと原稿画像データが記憶されているアドレスの情報（以下、この情報をアドレス情報と称する）が対応付けられている。記憶された原稿画像データは、低解像度画像生成部３０２、および画像データ入替部３０５によって参照される。また、原稿画像参照要請受付部３０４から画像ＩＤを受け取ると、その画像ＩＤに対応するアドレス情報を原稿画像参照要請受付部３０４に送る。
【００４５】
低解像度画像生成部３０２は、記憶部３０１に記憶されている原稿画像データを元に、原稿画像データが表わす原稿画像と同一の画像で、かつ、その原稿画像よりも画素数の少ない低解像度画像を表わす第１低解像度画像データを生成する。生成された第１低解像度画像データは、低解像度画像提供部３０３に送られる。
【００４６】
低解像度画像提供部３０３は、低解像度画像生成部３０２から送られた第１低解像度画像データに、画像ＩＤを付加した第２低解像度画像データを生成する。この画像ＩＤは、本発明にいう、「リンク情報」の一例に当たり、低解像度画像提供部３０３は、本発明の画像処理装置における低解像度画像提供部の一例に相当する。生成された第２低解像度画像データは、図４に示す編集装置４００に送られ、編集装置４００で、この第２低解像度画像データを用いて印刷用画像の編集が行われる。
【００４７】
原稿画像参照要請受付部３０４は、図４の編集装置４００から、原稿画像の参照要請である画像ＩＤを受け取り、その画像ＩＤを記憶部３０１に送る。さらに、記憶部３０１から、その画像ＩＤに対応するアドレス情報を入力し、原稿画像参照の許可としてアドレス情報を編集装置４００に送る。この画像ＩＤは、本発明にいう「原稿画像データの参照の要請」の一例にあたり、同様に、アドレス情報は、本発明にいう「アドレス情報」の一例にあたる。また、原稿画像参照要請受付部３０４は、本発明の画像処理装置における原稿画像参照要請受付部の一例に相当する。
【００４８】
画像データ入替部３０５は、図４の編集装置４００から、第２低解像度画像データを含み、印刷用画像を表わす編集後ページ記述データを入力する。さらに、編集後ページ記述データに含まれる第２低解像度画像データを、記憶部３０１に記憶されている、その第２低解像度画像データに対応する原稿画像データと入替え、出力用ページ記述データを生成する。この出力用ページ記述データは、編集後ページ記述データが表わす画像と同じ画像であり、かつ画素数の多い画像を表わす。生成された出力用ページ記述データは、図４に示すＲＩＰ装置５００に送られる。
【００４９】
画像処理装置３００は、基本的には以上のように構成されている。
【００５０】
次に、編集装置４００を生成するための編集プログラムについて説明する。
【００５１】
図７は、本発明の編集プログラムの第一の実施形態が記憶されたＣＤ−ＲＯＭ２８０を示す概念図である。
【００５２】
画像処理プログラム２８１は、記憶部２８１１、データ取得部２８１２、原稿画像参照要請部２８１３、画像表示部２８１４、およびデータ編集部２８１５で構成されている。ここで、記憶部２８１１は、データが読書きされる、図３に示すハードディスク装置２１５上のアドレスを管理するためのものである。また、データ取得部２８１２は本発明の編集プログラムにおけるデータ取得部の一例に相当し、同様に、原稿画像参照要請部２８１３は原稿画像参照要請部の一例、画像表示部２８１４は画像表示部の一例に相当する。編集プログラム２８１の各部の詳細については、図８に示す本発明の編集装置の第一の実施形態である編集装置４００の各部の作用と一緒に説明する。
【００５３】
図８は、この編集プログラム２８１を図１のパーソナルコンピュータ２００にインストールし、パーソナルコンピュータ２００を本発明の編集装置の第一の実施形態として動作させるときの編集装置４００の機能ブロック図である。
【００５４】
図８に示す編集装置４００は、記憶部４０１、データ編集部４０２、データ取得部４０３、原稿画像参照要請部４０４、および画像表示部４０５で構成される。
【００５５】
編集プログラム２８１をパーソナルコンピュータ２００にインストールすると、図７の編集プログラム２８１を構成する記憶部２８１１は図８の記憶部４０１を生成し、同様に、データ編集部２８１５はデータ編集部４０２を生成し、データ取得部２８１２はデータ取得部４０３を生成し、原稿画像参照要請部２８１３は原稿画像参照要請部４０４を生成し、画像表示部２８１４は画像表示部４０５を生成する。
【００５６】
記憶部４０１は、図４に示す画像処理装置３００から提供された第２低解像度画像データを図３に示すハードディスク装置２１５に記憶し、そのハードディスク装置２１５上のアドレスを管理する。この低解像度画像データは、データ編集部４０２によって参照される。
【００５７】
データ編集部４０２は、記憶部４０１に記憶されている第２低解像度画像データを用いて、オペレータが編集した画像および文字に基づく編集後ページ記述データを生成する。この編集後ページ記述データは、本発明にいう「ページ記述データ」の一例にあたる。生成された編集後ページ記述データは、データ取得部４０３および画像表示部４０５に送られるとともに、図４の画像処理装置３００にも送られる。
【００５８】
データ取得部４０３は、データ編集部４０２から編集後ページ記述データを受け取り、編集後ページ記述データに含まれている各第２低解像度画像データに付加された各画像ＩＤを取得する。さらに、原稿画像参照要請部４０４からの参照指示（後述する）を受け、その参照指示が示す低解像度画像の画像ＩＤを原稿画像参照要請部４０４に送る。データ取得部４０３は、本発明の編集装置におけるデータ取得部の一例に相当する。
【００５９】
原稿画像参照要請部４０４は、オペレータから、所望の低解像度画像に対応する原稿画像を参照する指示を表わす参照指示を受け、その参照指示をデータ取得部４０３に送る。さらに、データ取得部４０３から、参照指示に対応する画像ＩＤを受け取ると、その画像ＩＤを、図４の画像処理装置３００に送る。この原稿画像参照要請部４０４は、本発明の編集装置における原稿画像参照要請部の一例に相当する。
【００６０】
画像表示部４０５は、データ編集部４０２から編集後ページ記述データを受け取り、図２の表示画面２２１に編集後ページ記述データが表わす低解像度ページ画像を表示する。さらに、図４の画像処理装置から、ある低解像度画像データに対応する原稿画像データが格納されているアドレスを表わすアドレス情報を入力し、そのアドレスに記憶されている原稿画像データが表わす原稿画像を表示画面２２１に表示する。この画像表示部４０５は、ハードウェア上は、図２および図３に示す画像表示装置２２０にあたる。また、この画像表示部４０５は、本発明の編集装置における画像表示装置の一例に相当する。
【００６１】
編集装置４００は、基本的には以上のように構成されている。
【００６２】
ここで、図４に示す印刷用画像作成システム２０を適用して、印刷用画像データを生成し、図１に示すカラープリンタ１１０でプルーフ画像を作成する手順について説明する。
【００６３】
図９は、印刷用画像作成システム２０を適用して、カラープリンタ１１０でプルーフ画像を作成する手順を示すフローチャート図である。また、図１０は、印刷用画像作成システム２０の機能ブロック図である。以下、この図９のフローチャート図、および図１０の機能ブロック図を用いて説明する。
【００６４】
まず、印刷用画像を構成する原稿画像を取得する（図９のステップ（ａ））。
【００６５】
図１に示すカラースキャナ１００は原稿画像を表わす原稿画像データを取得し、その原稿画像データを、図３の入力インタフェース２１６を通して図１０に示す画像処理装置３００の記憶部３０１に送る。
【００６６】
次に、低解像度画像データを生成する（図９のステップ（ｂ））。
【００６７】
記憶部３０１に記憶された原稿画像データを基に、低解像度画像生成部３０２では、原稿画像データが表わす画像と同一の画像であり、かつ画素数の小さい第１低解像度画像データが生成される。生成された第１低解像度画像データは、低解像度画像提供部３０３に送られ、第１低解像度画像データに画像ＩＤが付加された第２低解像度画像データが生成される。さらに、第２低解像度画像データは、編集装置４００の記憶部４０１に送られ、記憶部４０１に記憶される。
【００６８】
次に、オペレータによる印刷用画像の編集が行われる（図９のステップ（ｃ））。
【００６９】
オペレータは、編集装置４００の記憶部４０１に記憶された低解像度画像データを用いて、印刷用画像を編集する。データ編集部４０２では、オペレータが編集した画像および文字を基に、編集後ページ記述データを生成する。
【００７０】
ここで、編集作業中に表示画面２２１に表示されている表示画像を構成する各画像は、実際に印刷される印刷用画像を構成する各画像（原稿画像）よりも画素数の小さい低解像度画像である。したがって、例えば、画像の細部を確認するときや、原稿画像が本当に所望の解像度の画像であるのかを確認するときには、低解像度画像に対応する原稿画像を表示させることが必要になる。
【００７１】
図１１は、編集後ページ記述データ内の所望の第２低解像度画像データから、その第２低解像度画像データに対応する原稿画像データを表示画面２２１に表示する手順を示すフローチャート図である。本発明の画像処理装置３００および編集装置４００の特徴は、このフローチャート図が表わす処理にあり、図９のフローチャート図の説明を中断して、図１１のフローチャート図に従って説明する。
【００７２】
まず、編集後の印刷用画像を図２の表示画面２２１に表示する（図１１のステップ（Ａ））。
【００７３】
図１０のデータ編集部４０２で生成された編集後ページ記述データは、画像表示部４０５およびデータ取得部４０３に送られる。画像表示部４０５は、編集後ページ記述データを図２に示す表示画面２２１に表示する。このとき、表示画面２２１に表示される表示画像を構成する各画像は、実際に印刷される印刷用画像を構成する各画像（原稿画像）よりも画素数の小さい低解像度画像である。
【００７４】
次に、所望の低解像度画像を指示する（図１１のステップ（Ｂ））。
【００７５】
オペレータは、図２に示すキーボード２３０やマウス２４０を用いて、原稿画像を参照する、任意の低解像度画像を指示する。
【００７６】
次に、指示された低解像度画像の画像ＩＤを取得する（図１１のステップ（Ｃ））。
【００７７】
図１０のデータ編集部４０２から編集後ページ記述データを入力したデータ取得部４０３は、編集後ページ記述データに含まれている第２低解像度画像データから、その第２低解像度画像データに付加された画像ＩＤを取得する。原稿画像参照要請部４０４は、オペレータから参照指示として、任意の低解像度画像を指示されると、その参照指示をデータ取得部４０３に送る。データ取得部４０３は、参照指示が表わす低解像度画像の画像ＩＤを原稿画像参照要請部４０４に送る。
【００７８】
次に、原稿画像データの参照を画像処理装置３００に要請する（図１１のステップ（Ｄ））。
【００７９】
編集装置４００の原稿画像参照要請部４０４は、データ取得部４０３から取得した画像ＩＤを画像処理装置３００の原稿画像参照要請受付部３０４に送る。
【００８０】
次に、原稿画像データが記憶されているアドレス情報を取得する（図１１のステップ（Ｅ））。
【００８１】
編集装置４００の原稿画像参照要請部４０４から画像ＩＤを受け取った画像処理装置３００の原稿画像参照要請受付部３０４は、その画像ＩＤを記憶部３０１に送る。記憶部３０１では、送られた画像ＩＤが割り付けられた原稿画像データが記憶されているアドレス情報を原稿画像参照要請受付部３０４に送られたアドレス情報は、編集装置４００の画像表示部４０５に送られる。
【００８２】
次に、原稿画像を表示画面２２１に表示する（図１１のステップ（Ｆ））。
【００８３】
アドレス情報を取得した画像表示部は、そのアドレス情報が表わすアドレスに格納されている原稿画像データを取得し、その原稿画像データが表わす原稿画像を図２に示す表示画面２２１に表示する。
【００８４】
オペレータは、表示画面２２１に表示された原稿画像を確認することで、実際に編集後の印刷用画像を印刷したときの画像の細部やその画像の解像度を確認することができる。
【００８５】
ここで、図９のフローチャート図に戻って説明する。
【００８６】
編集後ページ記述データに含まれる第２低解像度画像データに対応する、原稿画像データを確認後、印刷を設定する（図９のステップ（ｄ））。
【００８７】
オペレータは、原稿画像データを確認後、予め用意されている設定画面に従って、図１のカラープリンタ１１０で印刷するための設定を行う。印刷の設定が行われると、編集装置４００のデータ編集部４０２から、画像処理装置３００の画像データ入替部３０５に編集後ページ記述データが送られる。
【００８８】
次に、出力用ページ記述データを生成する（図９のステップ（ｅ））
。
【００８９】
編集後ページ記述データを入力した画像データ入替部３０５は、編集後ページ記述データ内の第２低解像度画像データを、その第２低解像度画像データに対応する原稿画像データに入れ替えた出力用ページ記述データを生成する。生成された出力用ページ記述データは、ＲＩＰ装置５００に送られる。
【００９０】
次に、印刷用画像データを生成する（図９のステップ（ｆ））
。
【００９１】
出力用ページ記述データを入力したＲＩＰ装置は、出力用ページ記述データをビットマップ形式のデータである印刷用画像データに変換する。生成された印刷用画像データは、図３の出力インタフェース２１９ａと通して図１に示すカラープリンタ１１０に送られ、カラープリンタ１１０でプルーフ画像が作成される。
【００９２】
このようにして、本実施形態の画像処理装置および編集装置を適用すると、データサイズの小さい低解像度画像データを用いて快適な編集作業が行えるうえ、編集中に表示画面に表示されている所望の低解像度画像に対応する原稿画像を容易に確認することが可能である。
【００９３】
以上で第一の実施形態の説明を終了し、次に第二の実施形態の説明を行う。ここで、第一の実施形態と同じ部分の説明は省略し、相違点のみ説明する。また、図４、図６、図８、図１０、および図１１は、第一の実施形態の画像処理装置および編集装置の図であるが、これらを第二の実施形態の画像処理装置および編集装置の図であるとして説明する。
【００９４】
図６に示す画像処理装置３００において、原稿画像参照要請受付部３０４は、第一の実施形態では、画像ＩＤを記憶部３０１に送り、その画像ＩＤが割り付けられた原稿画像データが記憶されているアドレス情報を記憶部３０１から受け取るが、本実施形態では、アドレス情報ではなく、その画像ＩＤが割り付けられた原稿画像データ自体を記憶部３０１から受け取る。
【００９５】
図８に示す編集装置４００において、第一の実施形態では、画像表示部４０５は図４に示す画像処理装置３００からアドレス情報を取得し、そのアドレス情報が示すアドレスに記憶されている原稿画像データが表わす原稿画像を図２の表示画面２２１に表示するが、本実施形態では、画像表示部４０５は、画像処理装置３００から原稿画像データを取得し、その原稿画像データを表示画面２２１に表示する。
【００９６】
図１１のフローチャート図で、本実施形態においても、ステップ（Ａ）からステップ（Ｄ）までの処理は第一の実施形態と同様の処理を行う。ステップ（Ｅ）において、本実施形態では、アドレス情報ではなく、画像ＩＤに対応する原稿画像データそのものを取得する。図１０の原稿画像参照要請受付部３０４は、原稿画像参照要請部４０４から画像ＩＤを受け取ると、その画像ＩＤを記憶部３０１に送り、記憶部３０１からその画像ＩＤが割り付けられた原稿画像データを取得する。さらに、取得した原稿画像データを画像表示部４０５に送る。
【００９７】
画像表示部４０５は、原稿画像参照要請受付部３０４から入力した原稿画像データが表わす原稿画像を図２の表示画面２２１に表示する。
【００９８】
このように、原稿画像データが格納されているアドレス情報ではなく、原稿画像データを入力することで、編集装置４００が画像処理装置３００の記憶部３０１を直接参照する必要がなくなり、例えば、記憶部３０１に記憶されている原稿画像データを削除してしまうような事故を防ぐことができる。
【００９９】
ここで、上記では低解像度データにリンク情報として画像ＩＤを付加する実施形態について説明したが、例えば、原稿画像データのアドレスを付加するものでもよい。
【０１００】
また、本実施形態の画像処理プログラムおよび画像処理装置には、低解像度画像提供部、および原稿画像データ参照要請受付部のほかに、記憶部、低解像度画像生成部、および画像データ入替部を含むものであったが、たとえば、低解像度画像提供部、および原稿画像データ参照要請受付部を含むものであれば、ほかの機能を含むものであってもよい。
【０１０１】
さらに、本実施形態の編集プログラムおよび編集装置には、データ取得部、原稿画像参照要請部、および画像表示部のほかに、記憶部、データ編集部を含むものであったが、データ取得部、原稿画像参照要請部、および画像表示部を含むものであれば、ほかの機能を含むものであってもよい。
【０１０２】
【発明の効果】
以上、説明したように、本発明によれば、任意の低解像度画像に対応する原稿画像を容易に参照可能な編集装置、画像処理装置、編集プログラム、および画像処理プログラムを提供することができる。
【図面の簡単な説明】
【図１】本発明の一実施形態が適用された画像処理システム１０の全体構成図である。
【図２】パーソナルコンピュータ２００の外観斜視図である。
【図３】パーソナルコンピュータ２００のハードウェア構成図である。
【図４】本発明の第一の実施形態が適用された印刷用画像作成システム２０の全体構成図である。
【図５】本発明の第一の実施形態の画像処理プログラムが記憶されたＣＤ−ＲＯＭ２７０を示す概念図である。
【図６】本発明の画像処理装置の第一の実施形態である画像処理装置３００の機能ブロック図である。
【図７】本発明の第一の実施形態の編集プログラムが記憶されたＣＤ−ＲＯＭ２８０を示す概念図である。
【図８】本発明の編集装置の第一の実施形態である編集装置４００の機能ブロック図である。
【図９】印刷用画像作成システム２０を適用して、カラープリンタ１１０でプルーフ画像を作成する手順を示すフローチャート図である。
【図１０】印刷用画像作成システム２０の機能ブロック図である。
【図１１】第２低解像度画像データから、その第２低解像度画像データに対応する原稿画像データを表示画面２２１に表示する手順を示すフローチャート図である。
【符号の説明】
１０　　画像処理システム
２０　　印刷用画像作成システム
１００　　カラースキャナ
１１０　　カラープリンタ
１２０　　印刷機
２００　　パーソナルコンピュータ
２１０　　本体装置
２１１　　フレキシブルディスク装填口
２１２　　ＣＤ−ＲＯＭ装填口
２１３　　ＣＰＵ
２１４　　主メモリ
２１５　　ハードディスク装置
２１６　　入力インタフェース
２１７　　フレキシブルディスクドライブ
２１８　　ＣＤ−ＲＯＭドライブ
２１９ａ　　出力インタフェース
２１９ｂ　　出力インタフェース
２５０　　バス
２２０　　画像表示装置
２２１　　表示画面
２３０　　キーボード
２４０　　マウス
２６０　　フレキシブルディスク
２７０　　ＣＤ−ＲＯＭ
２７１　　画像処理プログラム
２７１１　　記憶部
２７１２　　低解像度画像生成部
２７１３　　低解像度画像提供部
２７１４　　原稿画像データ参照要請受付部
２７１５　　画像データ入替部
２８０　　ＣＤ−ＲＯＭ
２８１　　編集プログラム
２８１１　　記憶部
２８１２　　データ取得部
２８１３　　原稿画像参照要請部
２８１４　　画像表示部
２８１５　　データ編集部
３００　　画像処理装置
３０１　　記憶部
３０２　　低解像度画像生成部
３０３　　低解像度画像提供部
３０４　　原稿画像参照要請受付部
３０５　　画像データ入替部
４００　　編集装置
４０１　　記憶部
４０２　　データ編集部
４０３　　データ取得部
４０４　　原稿画像参照要請部
４０５　　画像表示部
５００　　ＲＩＰ装置
【図１】
2004021683.tif 000003
【図２】
2004021683.tif 000004
【図３】
2004021683.tif 000005
【図４】
2004021683.tif 000006
【図５】
2004021683.tif 000007
【図６】
2004021683.tif 000008
【図７】
2004021683.tif 000009
【図８】
2004021683.tif 000010
【図９】
2004021683.tif 000011
【図１０】
2004021683.tif 000012
【図１１】
2004021683.tif 000013